(57)【要約】【課題】玄関土間と上がり框に続く床板部との間における上がり下りに際して、円滑、かつ、安全に用い得る玄関用腰掛けを備える玄関を提供する。【解決手段】玄関用腰掛けＡを備える玄関Ｇであって、この玄関用腰掛けＡが、上がり框Ｂａの前端面Ｂａ”から当該框Ｂａに連続して備えられている床板部Ｃａにわたって玄関土間Ｄ側で開放するように備えられた欠損部Ｆに設けてあり、しかも、この玄関用腰掛けＡが、昇降される座体１０を備えており、降下された座体１０が該座体１０の座面１０ａを上がり框Ｂａ及び該框Ｂａに連続する床板部Ｃａの面と同面にして前記欠損部Ｆを塞ぎ得るように構成してある。【選択図】図１
2008073453.tif 000002
【特許請求の範囲】
【請求項１】
玄関用腰掛けを備える玄関であって、
この玄関用腰掛けを、上がり框及び床板部における上がり框の一部と、これに続く床板部の一部の欠損部に設けてあり、
しかも、この玄関用腰掛けが、昇降可能に座体を備えていると共に、
この玄関用腰掛けにおける座体の降下位置において、該座体の前端面を上がり框の前端面に同面とし、かつ、座面を上がり框の上面及び床板部の面に同面に連続するように設けてあることを特徴とする玄関。
【請求項２】
前記座体が玄関の上がり框に連続して上がり框体を構成する框状部と、床板部に連続して玄関床板部を構成する床板状部とを備えていることを特徴とする請求項１に記載の玄関。
【請求項３】
前記座体が回転可能に備えられていることを特徴とする請求項１又は請求項２に記載の玄関。
【請求項４】
前記座体が背凭れと肘掛けとを備えていることを特徴とする請求項１，請求項２又は請求項３記載の玄関。
【請求項５】
前記背凭れと肘掛けとが前記座体の座面から出没可能に該座体に設けてあることを特徴とする請求項４に記載の玄関。
【発明の詳細な説明】
【技術分野】
【０００１】
この発明は、玄関における土間と上がり床部との間の出入りや、当該出入りに伴う履物の脱ぎ履きや、玄関空間における一寸した腰掛け等に都合良く用い得る昇降手段を備える腰掛けの備え付けられている玄関の提供に関する。
【背景技術】
【０００２】
住宅における玄関は、土間側からの塵埃等を上がり框部分において遮断し、当
該塵埃等が上がり床部側に入り込まないように、例えば、上がり框を玄関土間から十分に立ち上げて構成する等種々の工夫がなされていた。
【０００３】
しかしながら、玄関土間から十分な段差もたせて上がり框を構成した場合、成人の健常者はともかく、成人の健常者以外の、例えば、幼老者や身体に障害を有する者等が当該上がり框を円滑な出入りし難い場合があった。
【０００４】
かかる点から、近時、玄関土間からの上がり框の立ち上がり幅を極力少なくするように設計する傾向にある。このような玄関における出入りにあっては、玄関土間と上がり框間における立ち上がり幅が少ないために、上がり框に腰を下ろしての靴の脱ぎ履きをする際や、上がり框に腰を下ろしての居住者との話し合い等に不具合があった。
【０００５】
また、玄関土間と上がり床部との間の上がり下りに用いられる腰掛け、ベンチ、椅子等を玄関に備え付けた場合、これらの腰掛け、ベンチ、椅子等が玄関における快適な使用環境を損なったり、整然とした玄関空間の意匠性を損なう不具合があった。
【０００６】
かかる玄関土間と上がり框に続く床板との間の出入りに際して用いられる玄関用腰掛けが、靴の脱ぎ履きや、来客との対話に際しての腰掛け手段として、またメモなどの簡易な机や、一時的な荷物台等として提案されている（例えば、特許文献１）。
【０００７】
【特許文献１】平成１１年特許出願公開第１９６９７７号公開公報
【発明の開示】
【発明が解決しようとする課題】
【０００８】
しかしながら、この特許文献１に示される玄関用腰掛けにあっては、上がり框の近傍の床板の一部を切り欠いて、この床板の切り欠き部分に玄関用腰掛けを設けてあることから、玄関土間から上がり框に連続する床板側に上がる際に、玄関土間に立っている状態で、この上がり框を介して玄関用腰掛けの昇降板に座る必要があり、上がり框の前端と当該昇降板の前端との間に存在する空間が、この昇降板に対する円滑かつ安全な座り込みの妨げとなり、また、この玄関土間に足先を届けている状態での身体の向きの変更を困難にしている。
【０００９】
また、上がり框に続く床板の側から玄関土間に降り立つには、この玄関用腰掛けに座った後、その向きを変更しながら、足先を上がり框の前端を越えて玄関土間に届かせる必要があり、この玄関用腰掛けにおける昇降板の前端と上がり框の前端との間にある空間が当該動作を困難にしている。
【００１０】
かかる従前の玄関における不具合に鑑み、この発明は、玄関土間と上がり框に続く上がり床部との間における上がり下りに際して、円滑、かつ、安全に用い得る玄関用腰掛けを備える玄関を提供する。
【課題を解決するための手段】
【００１１】
この発明は、前記課題を解決するために、
玄関用腰掛けを備える玄関であって、
この玄関用腰掛けを、上がり框及び床板部における上がり框の一部と、これに続く床板部の一部の欠損部に設けてあり、
しかも、この玄関用腰掛けが、昇降可能に座体を備えていると共に、
この玄関用腰掛けにおける座体の降下位置において、該座体の前端面を上がり框の前端面に同面とし、かつ、座面を上がり框の上面及び床板部の面に同面に連続するように設けてあることを特徴とする玄関としてある。
【００１２】
このように構成される玄関にあっては、玄関土間と上がり框に続く床板部との間の上がり下り等に際し、玄関用腰掛けの座体に対して、円滑、かつ、安全に座ることができ、しかも、その向きを、円滑、かつ、安全に変更することができる。
【００１３】
また、前記玄関用腰掛けは、随時、適宜に上がり框及び該框に続く床板部の面に座体の座面を同面状態にして欠損部を塞ぐように降下納め入れることができ、玄関用腰掛けの無い状態にして整然とした玄関空間を作り出すことができる。
【００１４】
また、前記構成に係る玄関にあって、前記座体が玄関の上がり框に連続して上がり框体を構成する框状部と、床板部に連続して玄関床板部を構成する床板状部とを備えていることを特徴とする玄関では、前記特長に併せて、欠損部を塞ぐように降下された座体が、この欠損部を構成している上がり框及び当該框に続く床板部と共に、一連の上がり框体及び玄関床板部を構成し、玄関における意匠性を損なうことなく玄関用腰掛けの備え付けられた玄関を構成することができる。
【００１５】
また、前記構成に係る玄関にあって、前記座体が回転可能に備えられていることを特徴とする玄関では、前記特長に併せて、座体に座っている状態での身体の向きの変更を、より容易、かつ、安全、確実になすことができる。
【００１６】
また、前記構成に係る玄関にあって、前記座体が背凭れと肘掛けとを備えていることを特徴とする玄関では、前記特長に併せて、玄関用腰掛けに無理なく、かつ、安全に座り用いることができる。
【００１７】
また、前記構成に係る玄関にあって、前記背凭れと肘掛けとが前記座体の座面から出没可能に該座体に設けてあることを特徴とする玄関では、背凭れ及び肘掛けの備え付けられる玄関用腰掛けをシンプルな構造とすることができ、座体を欠損部を塞ぐように降下させた際に背凭れ及び肘掛けを当該座体の座面から下方に納め入れることで、玄関における意匠性を損なうことなく、玄関用腰掛けの備え付けられた玄関を構成することができる。
【発明の効果】
【００１８】
玄関における上がり框及び当該框に続く床板部と玄関土間との間の上がり下り等に際して、容易かつ安全に用い得る玄関用腰掛けを備え、当該上がり下りを安全かつ無理なくなし得るようになすと共に、玄関用腰掛けを用いない際には、整然とし、かつ、使い易い玄関に容易かつ円滑に変更することのできる玄関を提供する。
【発明を実施するための最良の形態】
【００１９】
以下、図１〜図５にもとづいて、この発明を実施するための最良の形態に係る玄関Ｇについて説明する。
【００２０】
なお、ここで図１は当該発明を実施するための最良の形態に係る典型的な玄関Ｇの要部を斜め上方から見て、図２では、玄関用腰掛けＡの座体１０を降下させて当該座体１０の座面１０ａを上がり框Ｂａの上面Ｂｃ及び床板部Ｃａの床面Ｃｃに面一とした断面状態を同様に側方から見て、図３では、この下方に下げられていた座体１０を腰掛けに都合の良い高さに押し上げた状態を断面して側方から見て、図４では、これを前方から見て、更に、図５では、これを仕切り板部３３の下方における肘掛け４０位置で水平向きに断面して上方から見て示している。
【００２１】
この発明を実施するための最良の形態に係る玄関Ｇは、
玄関用腰掛けＡを備える玄関Ｇとして構成してあり、この玄関用腰掛けＡを、上がり框及び床板部における上がり框の一部と、これに続く床板部の一部の欠損部Ｆに設けてあり、
しかも、この玄関用腰掛けＡが、昇降可能に座体１０を備えていると共に、
この玄関用腰掛けＡにおける座体１０の降下位置において、該座体１０の前端面１０ｂを上がり框Ｂａの前端面Ｂａ”に同面とし、かつ、座面１０ａを上がり框Ｂａの上面及び床板部Ｃａの面に同面に連続するように設けてある構成としてある。
【００２２】
かかる玄関用腰掛けＡの備えられる玄関Ｇは、上がり框Ｂａを備えて構成されているものであれば、いかなる形態の玄関であってもよい。また、この玄関Ｇに備えられる玄関用腰掛けＡは、前記欠損部Ｆに設置されて、当該玄関用腰掛けＡを構成する座体１０を、その前端面１０ｂを上がり框Ｂａの前端面１０ｂに同面とし、かつ、座面１０ａを玄関Ｇの上がり框Ｂａの上面及び当該框Ｂａに連続する床板部Ｃａの面と同面になるように降下されて前記欠損部Ｆを、その上部側で塞ぐように昇降可能に備えてあれば、いかなる形態の玄関用腰掛けＡであってもよい。
【００２３】
また、この玄関用腰掛けＡの設置される欠損部Ｆは、当該欠損部Ｆに玄関用腰掛けＡを、その座体１０を昇降可能に備え付け得るものであれば、いかなる形態に構成してあってもよい。かかる欠損部Ｆは、玄関土間Ｄの側で解放されるように、上がり框及び該上がり框に連続している床板部において、この上がり框の一部と、該上がり框に連続する床板部の一部の欠損部分として、当該玄関土間Ｄ側から凹状に凹むように構成してある。
【００２４】
また、前記座体１０の昇降は、当該座体１０が前記条件を満たすように昇降し得るものであれば、いかなる昇降手段で構成されていてもよく、例えば、油圧や空気圧等を利用した各種シリンダ装置や、チェーン、歯車、ベルト、ラック等を備えた電動駆動手段等と座体１０の移動機構とを組み付けた各種の昇降手段を用いて当該座体１０の昇降をなすようにすることができる。かかる点から、当該玄関用腰掛けＡを座体１０と、当該座体１０を昇降する昇降手段とを備えるように構成することが好ましい。
【００２５】
かかる座体１０の上下方向に向けてた移動は、典型的には、座体１０を平行に移動する平行移動機構を用いることができる。この座体１０の平行移動機構は、当該座体１０を水平を維持した状態に移動しうる機構、例えば、垂直に設置されているシリンダに垂直方向に動作される座体１０の支持ロッドを密に嵌合させて構成することができる。また、例えば、座体１０に当該座体１０を垂直向きに案内する複数本の案内ガイドを設け、この各案内ガイドを別段に用意した筒状案内部に挿通案内させるように構成することができる。また、当該座体１０を平行移動するリンク機構や、中央で交叉される一対のバーを当該交叉点で回動可能に枢支した支持脚を座体１０の左右、又は、前後に複数対設けて構成することができる。
【００２６】
また、前記玄関用腰掛けＡの座体１０は、無垢の木材や、集成材や、合板等の適宜の素材を単体で、又は、複数種の材の組み付けによって構成してあってもよく、例えば、玄関Ｇを構成する上がり框Ｂａ及び床板部Ｃａと同一の素材で構成してあってもよい。
【００２７】
このように構成される玄関Ｇにあっては、玄関土間Ｄと上がり框Ｂａに続く床板部Ｃａとの間の上がり下り等に際して、玄関用腰掛けＡの座体１０に対して、円滑、かつ、安全に座ることのでき、しかも、その向きを、円滑、かつ、安全に変更することができる。
【００２８】
また、前記玄関用腰掛けＡは、随時、適宜に上がり框Ｂａ及び該框Ｂａに続く床板部Ｃａの面に座体１０の座面１０ａを同面状態にし、かつ、前端面１０ｂを上がり框Ｂａの前端面Ｂａ”に同面にして、欠損部Ｆの上部側を塞ぐように降下納め入れることができ、玄関用腰掛けＡの座体１０で欠損部Ｆを塞いで、整然とした玄関空間を作り出すことができる。
【００２９】
また、前記構成に係る玄関Ｇにあって、前記座体１０が玄関Ｇの上がり框Ｂａに連続して上がり框体Ｂを構成する框状部Ｂｂと、床板部Ｃａに連続して玄関床板部Ｃを構成する床板状部Ｃｂとを備えている構成とすることで、欠損部Ｆの上部側を塞ぐように降下された座体１０が、この欠損部Ｆを構成している上がり框Ｂａ及び当該框Ｂａに続く床板部Ｃａと共に、一連の上がり框体Ｂ及び玄関床板部Ｃを構成させることができ、玄関Ｇにおける意匠性を何等損なうことなく玄関用腰掛けＡの備え付けられた玄関Ｇを構成することができる。
【００３０】
また、前記構成に係る玄関Ｇにあって、前記座体１０を回転可能にした玄関用腰掛けＡでは、座体１０に座っている状態で、身体の向きを容易に、かつ、安全、確実に変更することができる。
【００３１】
また、前記構成に係る玄関Ｇにあって、前記座体１０に背凭れ３０と肘掛け４０とを設けた玄関用腰掛けＡでは、この玄関用腰掛けＡを用いる人が、当該背凭れ３０に背を凭せ掛け、かつ、肘掛け４０に肘を掛けた楽な姿勢で、当該玄関用腰掛けＡに座り用い、かつ、当該座り姿勢から立ち上がることができる。かかる背凭れ３０及び肘掛け４０は、前記座体１０に座って当該玄関用腰掛けＡを用いる際に都合良く背を凭せ掛け、かつ、肘を乗せかけ得るものであれば、いかなる形態の背凭れ３０、肘掛け４０であっても良く、これらの背凭れや肘掛けの機能を奏し得る素材であれば、いかなる素材によって構成してあってもよい。
【００３２】
また、前記構成に係る玄関Ｇにあって、前記背凭れ３０と肘掛け４０とを前記座体１０の上面である座面１０ａから出没可能に該座体１０に設けた構成の玄関用腰掛けＡにあっては、この背凭れ３０及び肘掛け４０の備え付けられた玄関用腰掛けＡをシンプルに構成することができ、座体１０を欠損部Ｆを塞ぐように降下させた際に背凭れ３０及び肘掛け４０を当該座体１０の座面１０ａから下方に納め入れることで、玄関Ｇにおける意匠性を損なうことなく、玄関用腰掛けＡの備え付けられた玄関Ｇを構成することができる。
【００３３】
ついで、図１〜図５に係る図示例の玄関用腰掛けＡを備える玄関Ｇについて具体的に説明する。
【００３４】
この図示例に係る玄関Ｇは、玄関用腰掛けＡを備える玄関Ｇとして構成してあり、この玄関用腰掛けＡを、上がり框及び床板部における上がり框の一部と、これに続く床板部の一部の欠損部Ｆに設けてあり、
しかも、この玄関用腰掛けＡが、昇降可能に座体１０を備えていると共に、
この玄関用腰掛けＡにおける座体１０の降下位置において、該座体１０の前端面１０ｂを上がり框Ｂａの前端面Ｂａ”に同面とし、かつ、座面１０ａを上がり框Ｂａの上面及び床板部Ｃａの面に同面に連続するようにして前記欠損部Ｆの上部を塞ぎ得るように構成してある。
【００３５】
かかる玄関用腰掛けＡの備えられる玄関Ｇは、降下される当該玄関用腰掛けＡにおける座体１０を上がり框Ｂａの側面Ｂａ’及び床板部Ｃａの側面Ｃａ’に密に接するように受け入れて上部側を塞がれる欠損部Ｆを、玄関土間Ｄ側で開放するように、上がり框及び床板部における上がり框の一部及び該上がり框部分に連続する床板部分を欠損状として備えている。
【００３６】
かかる欠損部Ｆは、この欠損部Ｆに設置される玄関用腰掛けＡに座って当該玄関用腰掛けＡを用い易く、しかも、玄関Ｇにおける出入りの妨げになり難い上がり框Ｂａにおける壁Ｅ際等に設けるようにしてある。
【００３７】
この図示例にあっては、壁Ｅに備えられる手すり５０を握りながら玄関用腰掛けＡを用い得る位置に当該玄関用腰掛けＡを設置する欠損部Ｆを設けてある。かかる壁Ｅに備えられる当該手すり５０は、この手すり５０を当該玄関用腰掛けＡに座って用い易いように玄関用腰掛けＡの側方に、ほぼ水平に備えられている横手すり部５０ｂと、この横手すり５０ｂに連続して握り用い得る縦向きの縦手すり部５０ａとを備えるものとして構成してある。
【００３８】
かかる欠損部Ｆは、降下される玄関用腰掛けＡにおける座体１０が、その前端面１０ｂを上がり框Ｂａの前端面Ｂａ”に面一にし、かつ、この座体１０の側面を欠損部Ｆを構成する上がり框Ｂａの側面Ｂａ’及び床板部Ｃａの側面Ｃａ’に密に接するように納め入れ得るように玄関土間Ｄ側で解放されて、床板部Ｃａ側に凹む凹状空間として構成してあり、降下される玄関用腰掛けＡの座体１０が密に納め入れ得る大きさに構成してある。すなわち、玄関土間Ｄ側で開放される欠損部Ｆが平面視で矩形をなし、玄関土間Ｄから延設される空間における延設土間Ｆｂと、この延設土間Ｆｂから起立する塞ぎ板Ｆａによって構成される両側面及び後側面とで、玄関土間Ｄ側と上方とを一連に開放された欠損部Ｆとなるように構成してある。かかる欠損部Ｆを構成する上がり框Ｂａ及び床板部Ｃａの各側面Ｂａ’、Ｃａ’が、この欠損部Ｆの両側面及び後側面の一部をなすようにしてある。
【００３９】
かかる欠損部Ｆに設置される玄関用腰掛けＡは、座体１０と当該座体１０の昇降手段とを備える構成としてあり、例えば、適宜の昇降手段を備える脚体２０と、この脚体２０で支持され、かつ、前記昇降手段によって昇降される座体１０と、この座体１０の座面１０ａから出没可能に備えられている背凭れ３０及び肘掛け４０とを備えて構成してある。
【００４０】
かかる玄関用腰掛けＡを構成する脚体２０は、この図示例にあっては、昇降手段の機能を有する油圧シリンダ装置２０”を備える昇降脚２０’として構成してある。かかる昇降脚２０’は、玄関土間Ｄに延設されている欠損部Ｆの底面をなす延設土間Ｆｂ部に据えつけられているシリンダ２１と、このシリンダ２１に水密に嵌合されているシリンダロッド２２ａからなる昇降ロッド２２とで構成してあり、この昇降ロッド２２の上端である頂端軸部２２ｂと座体１０の下面部とを回転自在に連結する回転軸受け６０で座体１０を回転自在に支持するようにしてある。なお、前記延設土間Ｆｂは、必要に応じて掘り下げ、この掘り下げられた土間面（図示省略）に前記シリンダ２１を備え付けることによって、玄関土間Ｄからの上がり框Ｂａの立ち上がりが低い場合にあっても、玄関用腰掛けＡを都合よく設置することができる。
【００４１】
かかる脚体２０による座体１０の回転自在な支持は、例えば、この図示例におけるように、前記座体１０の回転中心部分の下面に凹部を設け、この凹部に設けた受け座１２と、この凹状をなす受け座１２に入れ込まれるように前記頂端軸部２２ｂに設けた円盤状受け座２４との間に、座体１０の回転中心を中心とする円に沿って環状をなすように複数の球体６０ａを納め入れ、該球体６０ａで座体１０を回転自在に受けるようになすと共に、座体１０に備えられている前記凹状受け座１２の周縁鍔１２ａに添装されている抑え鍔１３を、頂端軸部２２ｂに備えられている受け座２４の周縁鍔２４ａの下方に張り出させて、この凹状受け座１２と該抑え鍔１３とで頂端軸部２２ｂにおける受け座２４の周縁鍔２４ａを挟み込むようにして、所謂スラスト玉軸受け状の回転軸受け６０を構成するようにしてある。
【００４２】
なお、この玄関用腰掛けＡの回転操作は、この図示例にあっては、当該玄関用腰掛けＡを前記昇降手段としての油圧シリンダ装置２０”による押し上げ後における回転、特に、当該玄関用腰掛けＡの腰掛け向きに向けた事前の回転位置決め処理、及び、当該玄関用腰掛けＡに座って上がり框Ｂａを上がり下りする際の回転使用時等に施されるものであって、この玄関用腰掛けＡの降下時や、その昇降の途中における回転操作は行わない構成としてある。
【００４３】
この脚体２０に備えられる昇降手段は、この図示例にあってはシリンダ２１に水密に嵌合されているシリンダロッド２２ａと、これに圧油を供給する油圧ユニット２３を備える油圧シリンダ装置２０”で構成してあり、このシリンダロッド２２ａである昇降ロッド２２を油圧ユニット２３より供給される油圧によって操作するようにしてあって、例えば、壁Ｅに備えられている操作スイッチ２３ａの操作によって、座体１０を押し上げ停止させ、また、押し上げ停止されている座体１０を下降させて、座体１０の座面１０ａが上がり框Ｂａの上面及ぶ床板部Ｃａの床面と面一状態に前記欠損部Ｆ部に納め入れ、停止させ得るようにしてある。かかる油圧操作は、例えば、座体１０を押し上げ操作する際に、その座体１０の押し上げ終点を検出するリミットスイッチと、降下される座体１０の座面１０ａが上がり框Ｂａ及び床板部Ｃａの面に面一位置で当該座体１０の降下を停止するリミットスイッチを備え付けることによって構成することができる。
【００４４】
かかる脚体２０を備えて、当該脚体２０の昇降手段によって昇降可能に備えられる座体１０は、この座体１０に座って、上がり框Ｂａと土間Ｄとの間の上がり下り等に用い得る形態を備える構成としてあり、この図示例にあっては、前記平面視で矩形をなす欠損部Ｆの上部側を塞ぐ平面視で矩形の盤状体に構成してあり、前記上がり框Ｂａと共に一連に連続した上がり框体Ｂを構成する框状部Ｂｂ
と、この框状部Ｂｂに連続して、前記床板部Ｃａと共に一連の玄関床板部Ｃを構成する床板状部Ｃｂとを備える構成としてある。かかる框状部Ｂｂは座体１０における前端面１０ｂ部分を構成するようにしてあり、座体１０を降下させた際に、この框状部Ｂｂが上がり框Ｂａと共に玄関土間Ｄに面する上がり框体Ｂを一連に連続された外観を呈するように構成してある。また、この上がり框体Ｂに連続する玄関床板部Ｃを、床板部Ｃａと当該降下された床板状部Ｃｂとで一連の同面状態の連続面として構成するようにしてある。
【００４５】
なお、かかる玄関部における意匠性を高める目的から、座体１０を構成する框状部Ｂｂを上がり框Ｂａと同一の材で構成し、あるいは、座体１０を降下させて欠損部Ｆの上部側を塞いだ際に表面部をなす框状部Ｂｂの面を同一の材で覆って化粧し、また、床板状部Ｃｂを前記床板部Ｃａと同一の材で構成し、あるいは、同一つの材で上面を覆った構成とすることが好ましい。
【００４６】
かかる座体１０に備えられる背凭れ３０及び肘掛け４０を、必要に応じて当該座体１０に設ける。この背凭れ３０及び肘掛け４０は、いかなる形態で当該座体１０に備え付けてあってもよい。この図示例にあっては、座体１０の座面１０ａから背凭れ３０及び肘掛け４０が出没するように設けてある。
【００４７】
この図示例に係る座体１０にあっては、座体１０の後部縁に沿って細長孔１１が設けてあり、この細長孔１１から肘掛け４０を備える背凭れ３０を出没するように備え付けてある。かかる座体１０に出没可能に備えられる背凭れ３０及び肘掛け４０は、いかなる形態に構成してあっても、また、いかなる出没手段４４を備えて構成してあってもよい。
【００４８】
この図示例に係る背凭れ３０及び肘掛け４０は、背凭れ３０を構成する枠体部３２に肘掛け４０を開きだし可能に備える構成としてあり、肘掛け４０を畳み込んだ状態で背凭れ３０を座体１０から出没し得るように構成してある。
【００４９】
かかる背凭れ３０は、前記細長孔１１に密に差し入れ。かつ、引き出し得る横幅と厚幅とを備える構成としてあり、下部側が当該細長孔１１に密に納まる形状、寸法をなすベース盤部３１と、このベース盤部３１に連続して細長孔１１から上方に突き出され、かつ、当該細長孔１１に密に差し入れ得る矩形の枠体部３２とで構成してあり、この座体１０の座面１０ａから上方に突き出される枠体部３２が座体１０に座った際に都合良く背凭れ機能を奏し得る横幅と立ち上がり幅とを備えるように構成してある。
【００５０】
かかる背凭れ３０は、適宜の出没手段４４で当該座体１０の座面１０ａから出没し得るように構成してあり、この図示例にあっては、座体１０の下面側に設けた油圧シリンダ装置４４’によって、随時、必要に応じて座体１０の座面１０ａから出没し得るように構成してある。
【００５１】
かかる出没手段４４は、この図示例にあっては、座体１０の下面側にコ字状をなす取り付けフレーム４４ａにおける上端鍔４４ａ’を止着することで、当該座体１０から垂設される取り付けフレーム４４ａにおける下端の横板部に油圧シリンダ装置４４’におけるシリンダ４４ｂを立設し、この立設シリンダ４４ｂに水密に嵌合されたシリンダロッド４４ｃの上端に背凭れ３０のベース盤部３１を連結して、当該油圧シリンダ装置４４’におけるシリンダロッド４４ｃを油圧ユニット４４ｄで昇降させることで構成してある。
【００５２】
かかる座体１０の座面１０ａからの背凭れ３０の出没操作は、例えば、油圧ユニット４４ｄから供給される圧油を壁Ｅに備えられている操作スイッチ４４ｅの操作で操作してなされる。かかる油圧手段による座体１０の座面１０ａからの背凭れ３０の押し出しは、例えば、該背凭れ３０におけるベース盤部３１が座体１０の細長孔１１内に位置している状態で、背凭れとして機能する高さ位置をリミットスイッチで検出して停止するようにし、また、この背凭れ３０のシリンダ装置による引き込み操作を、座体１０の座面１０ａに対して枠体部３２の上端面が面一とされる位置をリミットスイッチで検出して停止するように構成する。
【００５３】
なお、この座体１０に備えられる油圧シリンダ装置４４’は、当該座体１０を降下させた際に、その下部側を玄関土間Ｄに続いて設けてある欠損部Ｆの土間に設けてある凹部Ｆｃ内に納まるようにしてある。
【００５４】
かかる背凭れ３０は、そのベース盤部３１が、その横断面形状を矩形としてあり、これに連続される枠体部３２が、その横断面を同寸法、同形状の外郭形状をなすように構成してある。すなわち、この枠体部３２は、前記ベース盤部３１に連続する側板部３２ａと、この各側板部３２ａ間を連結する上板部３２ｂとで構成してあり、この側板部３２ａの上部側に側板部３２ａ相互を連結する仕切り板部３３を、また、この仕切り板部３３の後部下面と前記ベース盤部３１の後部上面とを連結する背板部３４とが設けてある。また、この座体１０の座面１０ａから突き出す各側板部３２ａと仕切り板部３３と背板部３４とで構成する空間内に納まるように各側板部３２ａ側に近接した位置で縦向きの回動軸線で回動される一対の肘掛け４０が回動可能に設けてある。
【００５５】
この肘掛け４０は、座体１０の座面１０ａから突き出される背凭れ３０における側板部３２ａと仕切り板部３３及び背板部３４内に納め入れ得る矩形の板状材によって構成してあり、その板状をなす肘掛け４０の一端側を、仕切り板部３３及びベース盤部３１間にわたる軸４１によって各側板部３２ａに近接した位置で回動可能に背凭れ３０に組み付けてあり、当該背凭れ３０における枠体部３２の内側に、肘掛け４０が前後で重なり合って都合良く納め入れ得るように、当該対をなす肘掛け４０の取り付け軸４１の軸位置を前後方向にずらして設けてある。
【００５６】
また、この肘掛け４０は適宜の付勢手段４２によって常時背板部３４から離れ出す向き、すなわち、前方に向けて開き出す向きに付勢してあり、この図示例にあっては、軸４１に捲装されている付勢手段４２としてのねじりコイルバネ４２ａの一端を背凭れ３０に他端を当該肘掛け４０に引っ掛けるようにして、この肘掛け４０が常時背板部３４から離れ出す向き、すなわち、前方に向けて開き出す向きに付勢してある。また、背凭れ３０の座面１０ａからの引き出しに伴って前方に開き出される肘掛け４０は、軸４１を支点に回動される肘掛け４０部分が背凭れ３０における側板部３２ａに当接して、座面１０ａに座り用いる際に都合のよい角度以上開き出されないように構成してある。また、この図示例にあっては、背凭れ３０から開き出される肘掛け４０は、その下端面が座体１０における座面１０ａに接し、又は、近接するようにしてあり、肘掛け４０に肘を乗せかけた際に、都合良く乗せかけ荷重を受け得るように構成してある。
【００５７】
かかる構成からなる肘掛け４０にあっては、背凭れ３０を座面１０ａから押し出すことによって前記付勢手段４２の付勢で前方に所定角度で開き出され、これに肘を掛けて用いることができる。また、前記ねじりコイルバネ４２ａの付勢に抗して当該各肘掛け４０が都合良く重なり合うように順次に背板部３４に押しつけて、各側板部３２ａ及び仕切り板部３３間に納め入れ、この状態で背凭れ３０を下方に引き戻すことで格納することができる。
【００５８】
かかる構成からなる玄関用腰掛けＡは、通例は、座体１０を降下させて、当該座体１０の前端面１０ｂを上がり框Ｂａの前端面Ｂａ”に同面とし、座面１０ａを上がり框Ｂａ及び床板部Ｃａの床面と面一の状態となるように欠損部Ｆの上部側に密に納め入れて、所謂、上がり框を備える一般的な玄関Ｇとして用いることができる。また、この上がり框Ｂａの上がり下り等に際して玄関用腰掛けＡを必要とする際には、玄関用腰掛けＡの座体１０を適宜の昇降手段で上方に押し上げ、また、必要に応じて、玄関用腰掛けＡの向きを変更した状態にして用い、また、この玄関用腰掛けＡに腰掛けた状態で、その向きを変更させて用いることができる。また、この玄関用腰掛けＡの使用が不要となった際には、当該玄関用腰掛けＡを降下させて、その座体１０の前端面１０ｂを上がり框Ｂａの前端面Ｂａ”に同面とし、かつ、座面１０ａを上がり框Ｂａ及び床板部Ｃａの面と面一となるように欠損部Ｆに格納することができる。
【図面の簡単な説明】
【００５９】
【図１】玄関用腰掛けを押し上げ状態にしている玄関要部の斜視図
【図２】同玄関用腰掛けを降下させた状態の玄関要部の断面図
【図３】同玄関用腰掛けを押し上げた状態の玄関要部の断面図
【図４】同正面側から見た玄関要部の断面図
【図５】同玄関用腰掛け部分で断面した玄関要部の平断面図
【符号の説明】
【００６０】
Ａ  玄関用腰掛け
Ｂａ  上がり框Ｂａ
Ｃａ  床板部
Ｄ  玄関土間
Ｆ  欠損部
１０  座体
１０ａ  座面
【図１】
2008073453.tif 000003
【図２】
2008073453.tif 000004
【図３】
2008073453.tif 000005
【図４】
2008073453.tif 000006
【図５】
2008073453.tif 000007